(57)【要約】      （修正有）【課題】電線カバーの取り外しが容易にできる電線カバー付きコネクタを提供する。【解決手段】電線カバー５０がコネクタの後部に対し後方から前方に向けて装着されるキャップ形状に形成され、電線カバーにコネクタにロックするためのカバーロック部材１００が仮係止位置と本係止位置との間で左右方向スライド自在に設けられ、コネクタハウジング１０に、カバーロック部材を仮係止位置から本係止位置までスライドさせたとき、カバーロック部材の上下スライド板１１０、１２０のロックアーム１１２に設けたロック突起１２３と係合することで、電線カバーとコネクタをロックし、カバーロック部材を本係止位置から仮係止位置までスライドさせたとき、カバーロック部材のロック突起との係合が解除されて、電線カバーとコネクタのロックを解除するロック係止部１７、１８、１９が設けられている。【選択図】図１
2013251143.tif 000002
【特許請求の範囲】
【請求項１】
コネクタの後部に、該コネクタの後部から引き出された電線を保護しつつ所定の方向へ案内して導き出す電線カバーが装着された電線カバー付きコネクタにおいて、
前記電線カバーが、前記コネクタの後部に対し後方から前方に向けて装着されるキャップ形状に形成され、
該電線カバーに、該電線カバーを前記コネクタに装着した状態でロックするためのカバーロック部材が、前記電線カバーに対し前後方向に移動を拘束された状態で、前後方向と交差する方向に仮係止位置と本係止位置との間でスライド自在に設けられており、
一方、前記コネクタに、前記電線カバーを前記コネクタの後部に装着した状態で、前記カバーロック部材を仮係止位置から本係止位置までスライドさせたとき、該カバーロック部材のロック部と係合することで、前記電線カバーと前記コネクタとを前後方向にロックし、また、前記カバーロック部材を前記本係止位置から前記仮係止位置までスライドさせたとき、前記カバーロック部材のロック部との係合が解除され、それにより前記電線カバーと前記コネクタとのロックを解除するロック係止部が設けられていることを特徴とする電線カバー付きコネクタ。
【請求項２】
前記電線カバーの一方の側部に、前記カバーロック部材が前記仮係止位置と前記本係止位置との間で左右方向にスライド自在に装着され、
前記カバーロック部材は、前記電線カバーに対して押し込み方向にスライドさせることで、前記仮係止位置から前記本係止位置に移動し、前記電線カバーに対して引き出し方向にスライドさせることで、前記本係止位置から前記仮係止位置に移動するように構成され、
しかも、前記カバーロック部材は、前記コネクタの後部上面に沿ってスライドする上スライド板と、前記コネクタの後部下面に沿ってスライドする下スライド板とを有しており、
前記上下スライド板にそれぞれ上下方向に撓み可能なロックアームが設けられ、
前記上スライド板の前記ロックアームの下面に、前記コネクタの後部上面に突設されたロック係止部と係合する前記ロック部としてのロック突起が設けられ、
前記下スライド板の前記ロックアームの上面に、前記コネクタの後部下面に突設されたロック係止部と係合する前記ロック部としてのロック突起が設けられ、
前記電線カバーに、前記ロック突起のうちの少なくとも１個を前記仮係止位置に係止する仮係止凹部と前記本係止位置に係止する本係止凹部とが設けられていることを特徴とする請求項１に記載の電線カバー付きコネクタ。
【請求項３】
前記コネクタに、前記コネクタの後部から引き出された前記電線を前記所定の方向へ向くように癖付けして規制する電線規制部が設けられていることを特徴とする請求項１又は２に記載の電線カバー付きコネクタ。
【発明の詳細な説明】
【技術分野】
【０００１】
本発明は、電線カバー付きコネクタに関するものである。
【背景技術】
【０００２】
コネクタの後部に電線カバーを装着した電線カバー付きコネクタが、例えば、特許文献１などにおいて知られている。この場合の電線カバーは、主にコネクタの後部から引き出された電線を保護しつつ所定の方向へ案内して導き出す目的で設けられており、先行してコネクタの後部に装着される上半体と、上半体にヒンジを介して開閉自在に連結された下半体とから構成されている。
【０００３】
この電線カバー付きコネクタを組み立てる場合は、まず、コネクタハウジングの各端子収容室に各電線の端末に接続した端子を挿入し、全部の端子を挿入してコネクタを組み立てたら、電線カバーの上半体をコネクタの後部に装着し、電線を電線カバーの引出口に位置合わせした状態で、下半体を閉じ位置まで回動させ、上半体と下半体を互いにロックする。そうすることにより、電線カバーをコネクタに適正に固定することができて、電線カバー付きコネクタが完成する。
【先行技術文献】
【特許文献】
【０００４】
【特許文献１】特開平９−１９９２２０号公報
【発明の概要】
【発明が解決しようとする課題】
【０００５】
ところで、コネクタの後部から引き出された電線を、コネクタの後方や側方に向けて導き出す場合は、上述のように上半体と下半体からなる電線カバーを使用するのが好適であると言えるが、コネクタの後部から引き出した電線を、Ｕターンさせてコネクタの前方に向けて導き出すような場合には、電線カバーを上半体と下半体に分割した構造にするのは、コネクタへの装着が反って面倒になり好ましくない。
【０００６】
そこで、電線カバーを、コネクタの後部に対し後方から前方に向けて装着できるようにキャップ形状（コネクタの後部を覆う袋形状）に形成した電線カバー付きコネクタを本発明者は先に開発した（未公知）。これについて図１４〜図２０を参照して説明する。
【０００７】
図１４に示すように、この電線カバー付きコネクタ２０１は、コネクタハウジング２１０及びコネクタハウジング２１０に収容される複数の端子３０とからなるコネクタ２０２と、該コネクタ２０２に後から装着される電線カバー２５０とから構成されている。
【０００８】
電線カバー２５０は、コネクタ２０２の後部から引き出された複数の電線Ｗを保護しつつ所定の方向へ案内して導き出す目的で設けられており、コネクタ２０２の後部に対し後方から前方に向けて装着できるようキャップ形状（即ち、コネクタ２０２の後部に被さるように装着される袋形状）に形成されている。また、コネクタハウジング２１０の後面には、端子３０から後方へ延びる複数の電線を引き出す電線引出部２１１が設けられており、電線引出部２１１に、各端子収容室の後端開口２１２が横（左右方向）に並べて一列に配列されている。
【０００９】
図１５に示すように、端子３０（図１４参照）をコネクタハウジング２１０の各端子収容室に挿入すると、端子３０に接続された電線Ｗは、電線引出部２１１から後方へ向けて引き出される。そこで、コネクタハウジング２１０の後面に、電線Ｗを引っ掛けることにより、電線Ｗを束の状態でコネクタ２０２の外面に沿った上方向及び前方向に屈曲させるガイド突起２１５が設けられている。
【００１０】
また、ガイド突起２１５に引っ掛けて屈曲させることでコネクタ２０２の外面に沿って上方向から前方向に向けて延ばした電線Ｗの束を、その復元力に抗して押さえ付けながら前方に誘導するための電線保持部２１６が、コネクタ２０２の上面の後面側から見て右側部に設けられている。この電線保持部２１６は、後方から見て倒立Ｌ字形断面の規制壁２１６ｂにより構成され、規制壁２１６ｂの内側に、コネクタ２０２の幅方向中央に向けて開放し且つ前後方向に貫通した電線通し溝２１６ａが形成されている。
【００１１】
一方、電線カバー２５０は、コネクタ２０２の後面全体を覆う袋形のカバー本体部２５１と、そのカバー本体部２５１の、後方から見て右片側に前に突き出すように連設された電線保持部カバー部２５２と、その電線保持部カバー部２５２の前側に延長された延長板２５３とを有している。
【００１２】
この電線カバー付きコネクタ２０１を組み立てる場合は、まず、図１４に示すように、電線Ｗの端末に接続された端子３０をコネクタハウジング２１０の各端子収容室に後端開口２１２から挿入しセットする。図１５のように全部の端子３０の挿入・セットを終えてコネクタ２０２を組み立てたら、コネクタ２０２の後部の電線引出部２１１から後方へ引き出された複数の電線Ｗを、束にした状態のまま、図１６に示すように、ガイド突起２１５の下側からガイド突起２１５に引っ掛けながら上方に持ち上げ、そのままコネクタハウジング２１０の上面に沿って前方へ誘導して、電線保持部２１６の電線通し溝２１６ａに通す。こうすることにより、電線Ｗを前方へ向けて導き出すことができる。
【００１３】
次に、図１７に矢印Ｘで示すように後方から前方に向けてコネクタ２０２の後部に電線カバー２５０を装着する。図１８に示す装着状態では、電線カバー２５０のカバー本体部５２１が、コネクタ２０２の後面全体を覆い隠す。また、電線保持部カバー部２５２が、前方に向けて癖付けした電線Ｗの屈曲部や電線保持部２１６を覆い隠す。また延長板２５３が、前方に向かう電線Ｗの上側に沿って延びる。従って、延長板２５３をプロテクタとして電線Ｗをテープ巻き（テープＴ）することにより、電線Ｗの保持を完了することができる。
【００１４】
このように、キャップ形の電線カバー２５０を後方からコネクタ２０２の後部に装着することができるのは、コネクタ２０２の後部から引き出された電線Ｗを、電線規制部（ガイド突起２１５及び電線保持部２１６）によってＵターンさせてコネクタ２０２の前方に誘導するようにしたからである。
【００１５】
ところで、このように電線カバー２５０を後方からコネクタ２０２の後部に装着する場合は、従来のように、電線カバーを上半体と下半体に分割して両半体を閉じることでコネクタの後部に係合させる構造を採用することが難しいので、通常は、電線カバー２５０を後方からコネクタ２０２の後部に押し込むことで、図２０（ａ）に示すように、コネクタハウジング２１０側のロック係止部２８３に電線カバー２５０側のロックアーム２８１のロック部２８２が係合させる構造を採用することになる。
【００１６】
しかし、このように電線カバー２５０を後方からコネクタ２０２の後部に押し込むだけで、電線カバー２５０側のロックアーム２８１のロック部２８２とコネクタハウジング２１０側のロック係止部２８３とがロックする構造を採用した場合、電線カバー２５０をいったんコネクタ２０２に装着した後で取り外す必要が生じた場合に対応が難しい。即ち、図２０（ｂ）及び（ｃ）に示すように、ロックを解除するのに専用の解除治具３００を用いてロックアーム２８１を撓ませながら電線カバー２５０を取り外す必要があるため、取り外しが面倒である。
【００１７】
特に、ロックアーム２８１とロック係止部２８３とからなるロック部２８０は、ロック状態の安定性を維持するために、図１９に示すように、コネクタハウジング２１０及び電線カバー２５０の上側と下側の数カ所に配置することになるので、それら全部をロック解除する必要があり、電線カバー２５０の取り外しが容易ではなく、メンテナンス性やリサイクル性が悪いという課題があることが分かった。
【００１８】
本発明は、上述した事情に鑑みてなされたものであり、その目的は、電線カバーの取り外しが容易にできる電線カバー付きコネクタを提供することにある。
【課題を解決するための手段】
【００１９】
本発明の上記目的は、下記の構成により達成される。
（１）  コネクタの後部に、該コネクタの後部から引き出された電線を保護しつつ所定の方向へ案内して導き出す電線カバーが装着された電線カバー付きコネクタにおいて、
前記電線カバーが、前記コネクタの後部に対し後方から前方に向けて装着されるキャップ形状に形成され、
該電線カバーに、該電線カバーを前記コネクタに装着した状態でロックするためのカバーロック部材が、前記電線カバーに対し前後方向に移動を拘束された状態で、前後方向と交差する方向に仮係止位置と本係止位置との間でスライド自在に設けられており、
一方、前記コネクタに、前記電線カバーを前記コネクタの後部に装着した状態で、前記カバーロック部材を仮係止位置から本係止位置までスライドさせたとき、該カバーロック部材のロック部と係合することで、前記電線カバーと前記コネクタとを前後方向にロックし、また、前記カバーロック部材を前記本係止位置から前記仮係止位置までスライドさせたとき、前記カバーロック部材のロック部との係合が解除され、それにより前記電線カバーと前記コネクタとのロックを解除するロック係止部が設けられていることを特徴とする電線カバー付きコネクタ。
【００２０】
（２）  前記電線カバーの一方の側部に、前記カバーロック部材が前記仮係止位置と前記本係止位置との間で左右方向にスライド自在に装着され、
前記カバーロック部材は、前記電線カバーに対して押し込み方向にスライドさせることで、前記仮係止位置から前記本係止位置に移動し、前記電線カバーに対して引き出し方向にスライドさせることで、前記本係止位置から前記仮係止位置に移動するように構成され、
しかも、前記カバーロック部材は、前記コネクタの後部上面に沿ってスライドする上スライド板と、前記コネクタの後部下面に沿ってスライドする下スライド板とを有しており、
前記上下スライド板にそれぞれ上下方向に撓み可能なロックアームが設けられ、
前記上スライド板の前記ロックアームの下面に、前記コネクタの後部上面に突設されたロック係止部と係合する前記ロック部としてのロック突起が設けられ、
前記下スライド板の前記ロックアームの上面に、前記コネクタの後部下面に突設されたロック係止部と係合する前記ロック部としてのロック突起が設けられ、
前記電線カバーに、前記ロック突起のうちの少なくとも１個を前記仮係止位置に係止する仮係止凹部と前記本係止位置に係止する本係止凹部とが設けられていることを特徴とする上記（１）に記載の電線カバー付きコネクタ。
【００２１】
（３）  前記コネクタに、前記コネクタの後部から引き出された前記電線を前記所定の方向へ向くように癖付けして規制する電線規制部が設けられていることを特徴とする上記（１）又は（２）に記載の電線カバー付きコネクタ。
【００２２】
上記（１）の構成の電線カバー付きコネクタによれば、電線カバーをコネクタの後部に装着した状態で、カバーロック部材を仮係止位置から本係止位置までスライドさせることにより、カバーロック部材のロック部をコネクタ側のロック係止部に係合させることができ、それにより、電線カバーとコネクタとを前後方向にロックすることができる。また、電線カバーを取り外す必要が生じた場合は、電線カバーとコネクタをロックした状態において、カバーロック部材を本係止位置から仮係止位置までスライドさせる。そうすることにより、カバーロック部材のロック部とコネクタ側のロック係止部との係合を解除することができ、電線カバーとコネクタとのロックを解除することができる。従って、カバーロック部材をスライドさせるだけで、特別な解除治具を用いることなく、容易に電線カバーをコネクタから取り外すことができ、メンテナンス性やリサイクル性の向上が図れる。
【００２３】
上記（２）の構成の電線カバー付きコネクタによれば、電線カバーの側部に装着したカバーロック部材を、仮係止位置から本係止位置まで押し込み方向にスライドさせることにより、電線カバーをコネクタにロックすることができる。また、電線カバーを取り外す必要が生じた場合は、カバーロック部材を本係止位置から仮係止位置まで引き出し方向にスライドさせることにより、電線カバーとコネクタのロックを解除することができる。このようにカバーロック部材を本係止位置にスライドさせるときにカバーロック部材を押し込むので、カバーロック部材の外部への突出量を小さくすることができ、カバーロック部材が邪魔になりにくくなる。また、カバーロック部材を仮係止位置に保持したときには、カバーロック部材の外部への突出量が大きくなるので、次の本係止位置へのスライド操作がやりやすくなると共に、仮係止状態であることが認識しやすくなる。
【００２４】
また、カバーロック部材には、コネクタの後部上面に沿ってスライドする上スライド板とコネクタの後部下面に沿ってスライドする下スライド板とを設けているので、安定した姿勢でスムーズにカバーロック部材を仮係止位置と本係止位置との間でスライドさせることができる。また、上下スライド板にそれぞれロックアームを設け、各ロックアームにロック突起を形成して、各ロック突起をコネクタの後部上下面に突設したロック係止部に係合させるようにしているので、安定したロック状態を保持することができる。また、電線カバーに、ロックアームに設けたロック突起のうちの少なくとも１個を仮係止位置に係止する仮係止凹部と本係止位置に係止する本係止凹部とを設けているので、ロックアームを仮係止位置又は本係止位置に確実に保持固定しておくことができ、不用意に動いたりしないようにすることができる。
【００２５】
上記（３）の構成の電線カバー付きコネクタによれば、コネクタに、該コネクタの後部から引き出された電線を所定の方向へ向くように癖付けして規制する電線規制部が設けられているので、電線のばらけを防ぐことができ、電線カバーの装着時における電線の噛み込みの問題を解消することができ、組立のサイクルタイムの削減を図ることができる。
【発明の効果】
【００２６】
本発明によれば、カバーロック部材のスライド操作を行うだけで、特別な解除治具を用いることなく、容易に電線カバーのコネクタへのロック及びロック解除を行うことができる。従って、メンテナンス性やリサイクル性の向上が図れる。
【００２７】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２８】
【図１】本発明の実施形態の電線カバー付きコネクタの構成図で、コネクタハウジングに端子を装着する前の状態を示す斜視図である。
【図２】同実施形態における電線カバーの構成図で、（ａ）は斜め上から見た斜視図、（ｂ）は（ａ）とは別の角度から見た斜視図、（ｃ）は上下を反転させて見た斜視図である。
【図３】同実施形態におけるカバーロック部材の構成図で、（ａ）は斜め上から見た斜視図、（ｂ）は上下を反転させて見た斜視図である。
【図４】同実施形態おけるコネクタハウジングに電線の付いた端子を装着することでコネクタを構成した状態を示す平面図である。
【図５】同コネクタの後部から引き出された電線を横方向に癖付けしながら引き出し、その電線を、第１の電線規制部であるガイド突起に引っ掛けることで、コネクタの外面に沿って上方向及び前方向に束の状態のまま屈曲させて延ばし、その状態でさらに第２の電線規制部である電線保持部の電線通し溝に通すことで、電線を束の状態のまま前へ誘導しつつ保持固定した状態を示す平面図である。
【図６】同コネクタの後部に電線カバーを装着しようとしている状態を示す平面図である。
【図７】同コネクタの後部に電線カバーを装着した状態を示す平面図である。
【図８】図７の状態の斜視図で、（ａ）は上から見た斜視図、（ｂ）は上下反転させた状態の斜視図である。
【図９】図８の状態からカバーロック部材を押し込んで、電線カバーをコネクタにロックさせて、電線カバー付きコネクタを完成させた状態を示す図で、（ａ）は上から見た平面図、（ｂ）は上下反転させて見た平面図である。
【図１０】図９の状態の斜視図である。
【図１１】（ａ）は図９（ａ）のＸＩａ−ＸＩａ矢視断面図、（ｂ）は（ａ）のＸＩｂ部の拡大図である。
【図１２】前記カバーロック部材を仮係止位置から本係止位置まで押し込んで、電線カバーとコネクタをロックさせるまでの動きを説明するための、図７のＸＩＩ−ＸＩＩ矢視断面図に相当する図で、（ａ）はカバーロック部材が仮係止位置にあるときの状態を示す断面図、（ｂ）はカバーロック部材を本係止位置に向けて押し込んでいる途中の状態を示す断面図、（ｃ）はカバーロック部材が本係止位置にあるときの状態を示す断面図である。
【図１３】前記カバーロック部材を本係止位置から仮係止位置まで引き出して、電線カバーとコネクタのロックを解除するまでの動きを説明するための、図１２と同様の図で、（ａ）はカバーロック部材が本係止位置にあるときの状態を示す断面図、（ｂ）はカバーロック部材を仮係止位置に向けて引き出している途中の状態を示す断面図、（ｃ）はカバーロック部材が仮係止位置に引き出されたときの状態を示す断面図である。
【図１４】先行して開発した電線カバー付きコネクタの構成図で、コネクタハウジングに端子を装着する前の状態を示す斜視図である。
【図１５】同コネクタハウジングに電線の付いた端子を装着することでコネクタを構成した状態を示す平面図である。
【図１６】コネクタの後部から引き出された電線を横方向に癖付けした上でＵターンさせて前向きに誘導して電線規制部により規制した状態を示す平面図である。
【図１７】電線を電線規制部によって保持固定した状態でコネクタの後部に電線カバーを装着しようとしている状態を示す斜視図である。
【図１８】コネクタの後部に電線カバーを装着して電線カバー付きコネクタを完成させた状態を示す斜視図である。
【図１９】完成した電線カバー付きコネクタにおいてコネクタと電線カバーのロック位置を示す後面図である。
【図２０】（ａ）はコネクタと電線カバーのロック箇所の１つを示す図１９のＸＸ−ＸＸ矢視断面図、（ｂ）は（ａ）のＸＸｂ円部の拡大図、（ｃ）は（ｂ）に示すロック箇所のロック解除操作の仕方を説明するために示す拡大図である。
【発明を実施するための形態】
【００２９】
以下、本発明の実施形態を図面を参照して説明する。
図１〜図１３は実施形態の電線カバー付きコネクタの構成図である。
図１に示すように、実施形態の電線カバー付きコネクタ１は、樹脂成形品よりなるコネクタハウジング１０及びコネクタハウジング１０に収容される複数の端子３０（図１では代表として１個だけを記載）とからなるコネクタ２と、端子３０を収容して構成したコネクタ２に後から装着される樹脂成形品よりなる電線カバー５０と、電線カバー５０の左側部に左右方向（矢印Ｙ１、Ｙ２方向）にスライド自在に装着された樹脂成形品よりなるカバーロック部材１００と、から構成されている。
【００３０】
電線カバー５０は、コネクタ２の後部から引き出された複数の電線Ｗを保護しつつ所定の方向へ案内して導き出す目的で設けられており、コネクタ２０２の後部に対し図１中の矢印Ｘのように後方から前方に向けて装着されるキャップ形状（即ち、コネクタ２の後部に被さるように装着される袋形状）に形成されている。
【００３１】
コネクタハウジング１０の後面には、端子３０から後方へ延びる複数の電線を引き出す電線引出部１１が設けられており、電線引出部１１に、各端子収容室の後端開口１２が横（左右方向）に並べて一列に配列されている。また、コネクタハウジング１０の上面の幅方向中央には、相手側コネクタと嵌合した際に相手側コネクタハウジングのロック部と係合するロックアーム１３が設けられている。
【００３２】
ところで、図４に示すように、端子３０（図１参照）をコネクタハウジング１０の各端子収容室に挿入すると、端子３０に接続された電線Ｗは、電線引出部１１から後方へ向けて引き出される。そこで、コネクタハウジング１０の後面の端子収容室の後端開口１２の配列の上側（電線引出部１１の近傍に相当）には、後面側から見て右端の端子収容室の後端開口１２の近傍に位置させて、コネクタ２の後部から引き出された複数の電線Ｗを引っ掛けることにより、それら複数の電線Ｗを束の状態でコネクタハウジング１０の外面に沿った上方向及び前方向に屈曲させる第１の電線規制部としてのガイド突起１５が設けられている。
【００３３】
このガイド突起１５に引っ掛けて屈曲させることでコネクタ２の外面に沿って上方向から前方向に向けて延ばした電線Ｗの束は、そのままでは電線Ｗ自身の復元力により元の形態に戻ってしまう。そこで、その復元方向の力を受け止められるように、第２の電線規制部としての電線保持部１６が、コネクタ２の上面の後面側から見て右側部に設けられている。この電線保持部１６は、後方から見て倒立Ｌ字形断面の規制壁１６ｂにより構成されており、規制壁１６ｂの内側に、コネクタ２の幅方向中央に向けて開放し且つ前後方向に貫通した電線通し溝１６ａが形成されている。
【００３４】
ガイド突起１５と電線保持部１６は、ガイド突起１５に引っ掛けて屈曲させることでコネクタ２の上面に沿って前方に延ばした電線Ｗが、電線保持部１６の電線通し溝１６ａにちょうど収まるような位置関係にあり、ガイド突起１５と電線保持部１６は離れた位置にある。そして、ガイド突起１５で屈曲させた電線Ｗを電線保持部１６の電線通し溝１６ａに通すことにより、電線Ｗを束のまま、ばらけずに保持することができ、電線Ｗを前方へ向けて誘導することができるようになっている。
【００３５】
また、コネクタハウジング１０の後部の電線引出部１１の後端上下には、電線カバー５０とコネクタハウジング１０をロックするための矩形突片状のロック係止部１７、１８、１９が突設されている。ここでは、電線引出部１１の上側には、左端に位置させて１個のロック係止部１７が設けられ、電線引出部１１の下側には、左端と右端に位置させて２個のロック係止部１８、１９が設けられている。上側に１個のロック係止部１７しか設けないのは、上側にはガイド突起１５が配置されている上、電線Ｗが邪魔して、２個設けることができないからである。
【００３６】
図２は電線カバー５０の構成を示している。電線カバー５０は、図２に示すように、コネクタ２の後面全体を覆う袋形のカバー本体部５１と、そのカバー本体部５１の、後方から見て右片側に前に突き出すように連設された電線保持部カバー部５２と、その電線保持部カバー部５２の前側に延長された延長板５３とを有している。カバー本体部５１は、単にコネクタ２の後面ばかりでなく、コネクタ２の後半部の上面や側面や下面をも覆えるよう、後壁５１ａと、上壁５１ｂと、下壁５１ｃと、左右側壁５１ｄ、５１ｅとを有している。また、不用意にコネクタ同士をロックした状態でのロック解除操作が行われないようにするために、上壁５１ｂによりロックアーム１３の一部をも覆えるようになっている。但し、真上から解除操作する際には、指でロックアーム１３の解除操作部を押圧操作できるように、カバー本体部５１の上壁５１ｂには切欠５６が設けられている。
【００３７】
電線カバー５０の後ろから見て左側部に装着されたカバーロック部材１００は、電線カバー５０をコネクタ２に装着した状態で外れないようにロックするための部材であり、電線カバー５０に対し前後方向及び上下方向に移動を拘束された状態で、前後方向と交差する左右方向（矢印Ｙ１、Ｙ２方向）に仮係止位置と本係止位置との間でスライドできるように設けられている。
【００３８】
ここで、カバーロック部材１００は、電線カバー５０に対して押し込み方向（矢印Ｙ１方向）にスライドさせることで、仮係止位置から本係止位置に移動し、電線カバー５０に対して引き出し方向（矢印Ｙ２）にスライドさせることで、本係止位置から仮係止位置に移動するように構成されている。
【００３９】
図３はカバーロック部材１００の構成を示している。カバーロック部材１００は、図３に示すように、コネクタハウジング１０の後部上面に沿ってスライドする上スライド板１１０と、コネクタハウジング１０の後部下面に沿ってスライドする下スライド板１２０とを有しており、これらのスライド板１１０、１２０は、基端の操作部１０１から互いに平行に押し込みスライドする方向（矢印Ｙ１方向）に延出している。上スライド板１１０は短く、下スライド板１２０は長く延出している。
【００４０】
これらのスライド板１１０、１２０には、コ字状の切り離し溝１１１、１２１が形成されることで、コ字状の切り離し溝１１１、１２１の内側にロックアーム１１２、１２２が形成されている。各ロックアーム１１２、１２２は、操作部１０１に近い側にスライド板１１０、１２０に対する固定端を有する可撓片として構成されており、操作部１０１から遠い自由端側が上下方向に撓み自在となっている。
【００４１】
短い方の上スライド板１１０には、１個のロックアーム１１２が設けられ、長い方の下スライド板１２０には、長さ方向に間隔をおいて２つのロックアーム１２２が設けられている。また、上スライド板１１０のロックアーム１１２の下面と、下スライド板１２０のロックアーム１２２の上面には、スライド板１１０、１２０の延出方向（Ｙ１、Ｙ２方向）の両端面が傾斜面とされた台形断面のロック突起１１３、１２３が設けられている。これらのロック突起１１３、１２３は、コネクタハウジング１０の電線引出部１１の後端上下に設けたロック係止部１７、１８、１９とそれぞれ係合する部分であり、それらの位置に対応して設けられている。
【００４２】
なお、操作部１０１の上下端には、上下スライド板１１０、１２０よりも上下に突出した引っ掛け部１０２が設けられている。これらの引っ掛け部１０２は、カバーロック部材１００を矢印Ｙ２方向に引き出す際に指を引っ掛ける部分である。
【００４３】
図２に示すように、電線カバー５０の左側部には、このように構成されたカバーロック部材１００を装着するためのロック部材装着部６０が、カバー本体部５１の一部として設けられている。ロック部材装着部６０は、コネクタハウジング１０の電線引出部１１の上面に被さる上壁６１と、電線引出部１１の下面に被さる下壁６２とを有しており、ロック部材装着部６０の下壁６２は、カバー本体部５１の下壁５１ｃと共通板面として構成されている。また、ロック部材装着部６０の上壁６１は、カバー本体部５１の上壁５１ｂと若干の段差を持って形成されており、ロック部材装着部６０の上壁６１とカバー本体部５１の上壁５１ｂとの境界には垂直壁６３が設けられ、この垂直壁６３に、カバーロック部材１００の上スライド板１１０の先端を受け入れるスリット６４が設けられている。
【００４４】
ロック部材装着部６０の上壁６１とロック部材装着部６０の下壁６２及びカバー本体部５１の下壁５１ｃには、電線カバー５０をコネクタハウジング１０の後部に後方から装着するときに、コネクタハウジング１０の電線引出部１１の後端上下に設けたロック係止部１７、１８、１９を受け入れる係合溝６５、６６、６７が設けられている。係合溝６５、６６、６７は、本係止位置にスライドさせたカバーロック部材１００の各ロックアーム１１２、１２２のロック突起１１３、１２３を係合する本係止凹部に相当する部分であり、コネクタハウジング１０側のロック係止部１７、１８、１９及びカバーロック部材１００側のロック突起１１３、１２３の位置に対応して設けられている。また、ロック部材装着部６０の下壁６２には、仮係止位置にあるカバーロック部材１００の下スライド板１２０の先端側のロック突起１２３と係合することで、カバーロック部材１００を仮係止位置に位置決め保持するための係合孔（仮係止凹部）６８が設けられている。
【００４５】
また、ロック部材装着部６０の上壁６１とロック部材装着部６０の下壁６２及びカバー本体部５１の下壁５１ｃの外面には、カバーロック部材１００の上スライド板１１０と下スライド板１２０とを、前後方向及び上下方向への移動を拘束しながら左右方向にスライド案内する手段として、Ｌ型断面のガイドレール部７１、７２、７３、７４が設けられている。これらのガイドレール部７１、７２、７３、７４は、電線カバー５０を樹脂成形する上で無理のない配置で設けられている。
【００４６】
次に作用を説明する。
この電線カバー付きコネクタ１を組み立てる場合は、まず、図１に示すように、電線Ｗの端末に接続された端子３０をコネクタハウジング１０の各端子収容室に後端開口１２から挿入しセットする。図４のように全部の端子３０の挿入・セットを終えてコネクタ２を組み立てたら、図５の矢印Ａで示すように、コネクタ２の後部の電線引出部１１から後方へ引き出された複数の電線Ｗをいったん横方向に曲げながら誘導し、全ての電線Ｗを、束にした状態でガイド突起１５の下側からガイド突起１５に引っ掛けながら上方に持ち上げ、そのままコネクタハウジング１０の上面に沿って前方へ誘導して、電線保持部１６の電線通し溝１６ａに通す。
【００４７】
こうすることにより、ガイド突起１５に引っ掛けられることで屈曲させられた電線Ｗの復元方向の反力を、電線保持部１６の断面Ｌ字形の規制壁１６ｂで受け止めることができ、その状態で複数の電線Ｗを束のまま保持することができて、電線Ｗを前方（電線カバー５０で誘導しようとする所定の方向）へ向けて導き出すことができる。
【００４８】
図５に示すように電線Ｗを癖付けした状態で電線規制部（ガイド突起１５及び電線保持部１６）により保持固定したら、図６に示すように、後方から前方に向けて矢印Ｘ方向に押し込むようにコネクタ２の後部に電線カバー５０を装着する。
【００４９】
ここで、電線カバー５０をコネクタ２に装着する前に、電線カバー５０には予めカバーロック部材１００を装着しておき、仮係止位置に止めておく。図８（ａ）は電線カバー５０をコネクタ２に後部に装着した初期の状態を示し、（ｂ）はそのときの下面側の状態を示している。
【００５０】
図８（ｂ）に示すように、カバーロック部材１００を仮係止位置に装着した状態において、カバーロック部材１００の上下のスライド板１１０、１２０は、側縁部をガイドレール部７１、７２、７３、７４に係合させることで、前後方向及び上下方向に移動しないよう拘束されている。そして図１２（ａ）に示すように、下スライド板１２０の先端側（操作部１０１から遠い側）のロックアーム１２２のロック突起１２３を、電線カバー５０のカバー本体部５１の下壁５１ｃの係止孔６８に係合させることで、カバーロック部材１００が仮係止位置に保持されている。このとき、上スライド板１１０のロックアーム１１２のロック突起１１３と、下スライド板１２０の基端側（操作部１０１に近い側）のロックアーム１２２のロック突起１２３は、電線カバー５０のカバー部材装着部６０の上壁６１と下壁６２の手前で止まっている。
【００５１】
また、電線カバー５０をコネクタハウジング１０の後部の適正な位置まで装着した状態において、電線カバー５０の上壁５１ｂと下壁５１ｃ、６２に形成した係合溝６５、６６、６７の奥部（後端）に、コネクタハウジング１０の電線引出部１１の後端上下に設けたロック係止部１７、１８、１９が受け入れられている。
【００５２】
そこで、この状態において、図１２（ｂ）、（ｃ）に示すように、カバーロック部材１００を矢印Ｙ１方向にスライドさせる。そうすると、カバーロック部材１００に設けたロックアーム１１２、１２２がカバー部材装着部６０の上下壁６１、６２や電線カバー５０の下壁５１ｃに乗り上げて、いったん上下方向に撓むことで、次の段階において各ロックアーム１１２、１２２に突設したロック突起１１３、１２３が、電線カバー５０側の係合溝６５、６６、６７に嵌まる。
【００５３】
この場合、図１１に一部の断面で示すように、係合溝６５、６６、６７のうちのロック係止部１７、１８、１９の前側に残されたスペースに、ロック突起１１３、１２３が嵌まり、カバーロック部材１００が本係止位置に係合される。同時に、カバーロック部材１００のロック突起１１３、１２３が、コネクタハウジング１０のロック係止部１７、１８、１９の前側に係合することにより、電線カバー５０とコネクタハウジング１０とが、カバーロック部材１００を介して前後方向に移動しないようにロックされる。
【００５４】
図９及び図１０はカバーロック部材１００を本係止位置にスライドさせることにより、電線カバー５０とコネクタハウジング１０とをロックしたときの外観状態を示している。このように、カバーロック部材１００を本係止位置にスライドさせることにより、電線カバー５０を確実にコネクタ２に固定することができ、電線カバー付きコネクタ１の組み立てを完了することができる。
【００５５】
また、電線カバー５０をコネクタ２の後部に装着した状態においては、電線カバー５０のカバー本体部５１が、コネクタ２の後面全体を覆い隠すと共に、ロックアーム１３の一部をも覆い隠す。また、電線保持部カバー部５２が、前方に向けて癖付けした電線Ｗの屈曲部や電線保持部１６を覆い隠す。また、延長板２３が、前方に向かう電線Ｗの上側に沿って延びた状態になる。従って、図１０に示すように、テープＴで電線Ｗと延長板２３を巻き付け固定することにより、電線Ｗを前方に指向させた状態で安定保持することができる。
【００５６】
また、電線カバー５０を取り外す必要が生じた場合は、カバーロック部材１００を、図１３（ａ）〜（ｃ）に示す順番で矢印Ｙ２方向にスライドさせる。即ち、図１３（ａ）に示すように本係止位置に係合された状態から、カバーロック部材１００の操作部１０１の上下に設けた引っ掛け部１０２に指をかけて、カバーロック部材１００を矢印Ｙ２方向に引き出す。
【００５７】
そうすると、図１３（ｂ）及び（ｃ）に示すように、カバーロック部材１００のロックアーム１１２、１２２が上下方向に撓み、ロック突起１１３、１２３が係合溝６５、６６、６７から抜けて移動し、上スライド板１１０のロックアーム１１２のロック突起１１３と、下スライド板１２０の基端側（操作部１０１に近い側）のロックアーム１２２のロック突起１２３とが、電線カバー５０のカバー部材装着部６０の上壁６１と下壁６２から外れる。また、下スライド板１２０の先端側（操作部１０１から遠い側）のロックアーム１２２のロック突起１２３が、電線カバー５０のカバー本体部５１の下壁５１ｃの係止孔６８に係合し、カバーロック部材１００が仮係止位置に保持される。
【００５８】
この状態で、コネクタハウジング１０側のロック係止部１７、１８、１９の前側からカバーロック部材１００のロック突起１１３、１２３が無くなることにより、コネクタ２と電線カバー５０のロックが外れる。従って、電線カバー５０を後退させることにより、コネクタ２から容易に取り外すことができる。
【００５９】
以上説明したように、本実施形態の電線カバー付きコネクタ１によれば、電線カバー５０をコネクタ２の後部に装着した状態で、カバーロック部材１００を仮係止位置から本係止位置までスライドさせることにより、カバーロック部材１００のロック突起１１３、１２３をコネクタ２側のロック係止部１７、１８、１９に係合させることができ、それにより、電線カバー５０とコネクタ２とを前後方向にロックすることができる。また、電線カバー５０を取り外す必要が生じた場合は、電線カバー５０とコネクタ２をロックした状態において、カバーロック部材１００を本係止位置から仮係止位置までスライドさせる。そうすることにより、カバーロック部材１００のロック突起１１３、１２３とコネクタ２側のロック係止部１７、１８、１９との係合を解除することができ、電線カバー５０とコネクタ２とのロックを解除することができる。従って、カバーロック部材１００をスライドさせるだけで、特別な解除治具を用いることなく、容易に電線カバー５０をコネクタ２から取り外すことができ、メンテナンス性やリサイクル性の向上が図れる。
【００６０】
また、本実施形態の電線カバー付きコネクタ１では、電線カバー５０の左側部に装着したカバーロック部材１００を、仮係止位置から本係止位置まで押し込み方向（矢印Ｙ１方向）にスライドさせることにより、電線カバー５０をコネクタ２にロックすることができ、また、カバーロック部材１００を本係止位置から仮係止位置まで引き出し方向（矢印Ｙ２方向）にスライドさせることにより、電線カバー５０とコネクタ２のロックを解除することができるようにしている。つまり、カバーロック部材１００を本係止位置にスライドさせるときにカバーロック部材１００を押し込むようにしている。そのため、カバーロック部材１００の外部への突出量を小さくすることができ、カバーロック部材１００が邪魔になりにくくなる。また、カバーロック部材１００を仮係止位置に保持するときには、カバーロック部材１００を引き出し方向にスライドさせて保持するようにしている。従って、カバーロック部材１００の外部への突出量が大きくなり、次の本係止位置へのスライド操作がやりやすくなると共に、仮係止状態であることが認識しやすくなる。
【００６１】
また、カバーロック部材１００には、コネクタ２の後部上面に沿ってスライドする上スライド板１１０とコネクタ２の後部下面に沿ってスライドする下スライド板１２０とを設けているので、安定した姿勢でスムーズにカバーロック部材１００を仮係止位置と本係止位置との間でスライドさせることができる。また、上下スライド板１１０、１２０にそれぞれロックアーム１１２、１２２を設け、各ロックアーム１１２、１２２にロック突起１１３、１２３を形成して、各ロック突起１１３、１２３をコネクタ２の後部上下面に突設したロック係止部１７、１８、１９に係合させるようにしているので、安定したロック状態を保持することができる。
【００６２】
また、電線カバー５０に、ロックアーム１１２、１２２に設けたロック突起１１３、１２３のうちの少なくとも１個を仮係止位置に係止する係合孔（仮係止凹部）６８と本係止位置に係止する係合溝（本係止凹部）とを設けているので、ロックアーム１１２、１２２を仮係止位置又は本係止位置に確実に保持固定しておくことができ、不用意に動いたりしないようにすることができる。
【００６３】
また、本実施形態の電線カバー付きコネクタ１によれば、コネクタ２に、該コネクタ２の後部から引き出された複数の電線Ｗを所定の方向へ向くように癖付けして規制する電線規制部（ガイド突起１５及び電線保持部１６）が設けられているので、電線Ｗのばらけを防ぐことができ、電線カバー５０の装着時における電線Ｗの噛み込みの問題を解消することができる。従って、組み立てのサイクルタイムの削減を図ることができる。特に、コネクタ２の後部から引き出された複数の電線Ｗを、第１の電線規制部であるガイド突起１５に引っ掛けて屈曲させ、更にその電線Ｗを第２の電線規制部である電線保持部１６により規制しながら保持することができるので、ばらけを確実に防ぎながら電線Ｗを固定することができ、電線カバー５０を容易に装着することができる。
【００６４】
また、この電線カバー付きコネクタ１においては、電線カバー５０のカバー本体部２１の上壁の延長部分によりロックアーム１３の一部を覆い隠すことができるので、ロックアーム１３を不用意に解除操作するのを防ぐことが可能になる。
【００６５】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００６６】
１  電線カバー付きコネクタ
２  コネクタ
１０  コネクタハウジング
１５  ガイド突起（電線規制部）
１６  電線保持部（電線規制部）
１７，１８，１９  ロック係止部
３０  端子
５０  電線カバー
６５，６６，６７  係合溝（本係止凹部）
６８  係合孔（仮係止凹部）
１００  カバーロック部材
１１０  上スライド板
１１２  ロックアーム
１１３  ロック突起
１２０  下スライド板
１２２  ロックアーム
１２３  ロック突起
Ｗ  電線
【図１】
2013251143.tif 000003
【図２】
2013251143.tif 000004
【図３】
2013251143.tif 000005
【図４】
2013251143.tif 000006
【図５】
2013251143.tif 000007
【図６】
2013251143.tif 000008
【図７】
2013251143.tif 000009
【図８】
2013251143.tif 000010
【図９】
2013251143.tif 000011
【図１０】
2013251143.tif 000012
【図１１】
2013251143.tif 000013
【図１２】
2013251143.tif 000014
【図１３】
2013251143.tif 000015
【図１４】
2013251143.tif 000016
【図１５】
2013251143.tif 000017
【図１６】
2013251143.tif 000018
【図１７】
2013251143.tif 000019
【図１８】
2013251143.tif 000020
【図１９】
2013251143.tif 000021
【図２０】
2013251143.tif 000022